(57)【要約】【課題】積載面上にシートを連続的に集積する際に、シートサイドを位置整合する整合機構の動作範囲を短くするのと同時に排紙口からシートを確実に積載面に案内する。【解決手段】排紙口１３を有するシート搬送経路１２と、排紙口の下流側に段差を形成して配置されシートの積載面１５ｘを有するトレイ部材１５と、積載面上のシート側縁と係合する側縁整合面２３を有する整合部材２２と、この整合部材を積載面上の整合位置と積載面上方の待機位置との間で位置移動するシフト手段（旋回シフトモータ、サイドシフトモータなど）を備える。【選択図】図３
2016113281.tif 000002
【特許請求の範囲】
【請求項１】
排紙口を有するシート搬送経路と、
前記排紙口の下流側に段差を形成して配置されシートの積載面を有するトレイ部材と、
前記積載面上のシート側縁と係合する側縁整合面を有する整合部材と、
前記一対の整合部材を、積載面上の整合位置と積載面上方の待機位置との間で位置移動するシフト手段と、
を備え、
前記待機位置は、前記排紙口から搬出されるシートの移動軌跡と前記積載面上の許容最大積載高さのシート面との間に設定され、
前記シフト手段は、
前記整合部材を、前記排紙口から搬出されるシート先端部の下面を支持するガイド位置からシート後端部が前記排紙口から搬出される前又は後にシートから離れた退避位置に移動することを特徴とするシート集積装置。
【請求項２】
前記整合部材は、
シートの両側縁と係合するように左右一対配置され、
各整合部材に前記側縁整合面が設けられていることを特徴とする請求項１に記載のシート集積装置。
【請求項３】
前記シフト手段は、
前記整合部材を、
前記積載面上の整合位置と積載面上方の待機位置との間で昇降する昇降シフト機構と、
前記積載面上のシート幅方向に位置移動するサイドシフト機構と、
を備えていることを特徴とする請求項１に記載のシート集積装置。
【請求項４】
前記昇降シフト機構は、
前記整合部材を回動可能に支持する回転軸と、
前記回転軸を所定角度回転する昇降シフトモータと、
で構成され、
前記サイドシフト機構は、
前記整合部材を前記回転軸の軸方向にスライド移動させる走行部材と、
前記走行部材を駆動するサイドシフトモータと、
で構成され、
ていることを特徴とする請求項３に記載のシート集積装置。
【請求項５】
請求項３又は４に記載の装置であって
前記シフト手段を制御する制御手段を備え、
前記制御手段は、
前記昇降シフト機構で前記整合部材を、前記整合位置から前記待機位置に位置移動し、
前記サイドシフト機構で前記整合部材を前記ガイド位置から前記退避位置に位置移動することを特徴とするシート集積装置。
【請求項６】
前記制御手段は、
前記排紙口から送られたシートを前記積載面上の異なる整合位置に部分け集積するジョグ仕分けモードの実行時には、
シート先端部が排紙口から搬出される際には前記ガイド位置に、
シート後端部が排紙口から搬出される際には前記退避位置に、
前記整合部材を、位置させるように前記昇降シフトモータと前記サイドシフトモータを
制御することを特徴とするシート集積装置。
【請求項７】
請求項１から６のいずれか１項に記載のシート集積装置を備えた画像形成装置。
【発明の詳細な説明】
【技術分野】
【０００１】
本発明は、画像形成装置などから送られたシートをトレイ上に積載して集積するシート集積装置に係わり、シートをトレイ上の所定位置に整合する整合機構の改良に関する。
【背景技術】
【０００２】
一般に、この種の装置は画像形成装置などの上流側の装置から送られたシートをスタックトレイに集積する装置として知られている。この場合トレイ上にシートを部毎に区分けするようにオフセットさせて集積するジョグ仕分け機構も知られている。
【０００３】
例えば特許文献１にはシートを搬送する搬送経路の下流側に段差を形成してスタックトレイを配置し、排紙口から送られたシートをトレイ上に落下させて集積する収納機構と、収納したシートを左右一対の整合板で所定の位置に整合する整合機構が開示されている。
【０００４】
同文献の整合機構は左右一対の整合部材をトレイ上方の待機位置から下方の作動位置に上下動させ、待機位置（姿勢）では排紙口からトレイ上方に搬出されるシートを案内し、トレイに進入後は作動位置（姿勢）でシートを幅方向の所定位置に整合させている。
【０００５】
特許文献２には排紙口からトレイ上に搬入したシートを、部毎に区分けするジョガー機構が開示されている。左右一対の整合部材（板）をシート幅方向に位置移動可能に配置し、この整合部材をトレイ上方の待機位置とトレイ上の作動位置との間で上下動する機構が開示されている。そして排紙口から送られたシートを部毎に異なる位置に集積して区分けしている。
【先行技術文献】
【特許文献】
【０００６】
【特許文献１】特開２０１４−１４８４１９号公報
【特許文献２】特許第３９７３８３６号公報
【発明の概要】
【発明が解決しようとする課題】
【０００７】
上述のように排紙経路からシートをトレイ上に落下させて集積する際に、シートを積載する積載面の所定位置にシートを位置規制して整然と積載する機構が採用されている。この位置規制機構としては、積載面に搬入するシートの先端縁を突き当て規制するストッパ部材（フェンス部材）などのシート端規制手段と、シートの幅方向左右を基準位置に位置決めする整合板などの側縁整合手段が採用されている。
【０００８】
上記側縁整合手段としては、センター基準又は片側基準で異なるサイズのシートを基準位置に整合している。このため、シートの一側縁または両側縁と係合する整合面（整合板）を幅方向（積載面に搬入するシートの直交方向）に移動させて基準位置に位置合わせしている。
【０００９】
このシートサイズに応じてシート幅方向の基準位置に位置合わせするのと同時に、シートの部毎にと異なる位置に整合させてジョグ仕分けするモードを備えることも知られている。この仕分けモードは、上流側から送られてくるシートの奇数部は第１基準位置に偶数部は第２基準位置にオフセット（位置ズレ）させて整合する。
【００１０】
そこで従来は左右一対の整合部材の少なくとも一方をトレイ上方の回動支点を中心に揺動させて待機位置（待機姿勢）と整合位置（整合姿勢）の間を往復動させている。この待機位置は、整合部材が排紙口から搬出される後続シートの妨げとならないように、排紙口の上方に設定している。（特許文献１参照）
【００１１】
また、シートが排紙口から積載面の上方に搬出されるとき、先端部が垂れ下がって巻き込まれないようにシート先端部（の下面）を排紙方向に整合部材でガイドすることも特許文献１に提案されている。
【００１２】
ところが従来は整合部材を排紙口から搬出されるシートの軌道を過ぎって待機姿勢と整合位置との間、及び待機位置とシートガイド位置との間で位置移動しているため、その動作時間がシートの集積効率を低下させている。特に整合位置から待機位置に移動するときにはシートの搬送間隙（インターバル）を長く設定するか、整合部材を高速度で移動する必要があった。
【００１３】
本発明は、積載面上にシートを連続的に集積する際に、シートサイドを位置整合する整合機構を、動作範囲を短くすることが可能で、シートの迅速にトレイに案内することが可能なシート集積装置の提供をその課題としている。
【課題を解決するための手段】
【００１４】
上記課題を達成するため本発明は、積載面上にシートを位置決めする整合部材を、排紙口から搬出されるシートの移動軌跡と積載面との間に待機位置を設定し、排出口から搬送されるシート先端部を整合部材でカイドしたのち、シートから離れた位置に退避させ、次いで整合位置に移動することを特徴としている。
【００１５】
以下、その構成を詳述すると、排紙口（１３、１６ｘ）を有するシート搬送経路（１２）と、排紙口の下流側に段差を形成して配置されシートの積載面（１５ｘ）を有するトレイ部材（１５）と、積載面上のシート側縁と係合する側縁整合面（２３）を有する整合部材（２２）と、この整合部材を積載面上の整合位置と積載面上方の待機位置との間で位置移動するシフト手段（Ｍ１）を備える。
【００１６】
上記待機位置は、排紙口から搬出されるシートの移動軌跡（Ｘ）と積載面上の許容最大積載高さのシート面（Ｙ）との間に設定する。上記シフト手段は、整合部材を、排紙口から搬出されるシート先端部の下面を支持するガイド位置からシート後端部が排紙口から搬出される前又は後にシートから離れた退避位置（Ｗｐ）に移動する。
【発明の効果】
【００１７】
本発明は、積載面上にシートを整合する整合部材を、排紙口から搬出シートの移動軌跡と積載面上の最上シートとの間に待機位置を配置し、排紙口から搬出されるシートの下面をガイドするものであるから以下の効果を奏する。
【００１８】
排出口から搬送されるシートは、その下面を整合部材でガイドされるからき、カールしたシートなど先端部が垂れ下がって巻き込まれることがない。
【００１９】
また、待機位置から整合位置への整合部材の移動距離は、シートの搬出軌跡を過ぎることなく、その下方に配置されるから短い距離で短時間に位置移動することができる。特に、整合部材を整合位置から待機位置に移動する動作と後続シートを排紙口から搬出する動作を同時に行なうことができるからシート集積を高速で効率化することができる。
【図面の簡単な説明】
【００２０】
【図１】本発明に係わるシート収納装置を備えた画像形成装置の全体構成の説明図。
【図２】図１のシート収納装置を有する後処理装置の説明図。
【図３】図２の後処理装置の要部拡大説明図。
【図４】シート収納装置における整合部材の機構と、シフト手段の構造を示す斜視説明図。
【図５】シート収納装置におけるパドル機構の説明図であり、（ａ）は構造説明（ｂ）はパドル動作の手順説明である。
【図６】図２のシート収納装置のジョグ仕分けモードにおける整合動作の説明図であり、（ａ）は第１基準位置にシートの整合する場合を、（ｂ）は第２基準位置にシートを整合する場合を示す。
【図７】（ａ）は整合部材によるシート先端部のガイド状態を示す説明図であり、（ｂ）（ｃ）は図５のジョグ仕分けモードにおける整合部材の整合動作（移動軌跡）のそれぞれ異なる実施形態を示す。
【図８】シート整合部材の待機位置と作動位置との間の姿勢シフト状態を示し、（ａ）は待機位置で排紙口からシートが搬出される初期状態を、（ｂ）は待機位置で排紙口から搬出される後続シートを支持する状態を、（ｃ）は排紙口から搬出されたシートが積載面に落下する状態を示す。
【図９】シート整合部材の待機位置と作動位置との間の姿勢シフト状態を示し、（ａ）は作動位置で整合したシートをパドル機構で規制面に突当てる状態を、（ｂ）は作動位置から待機位置に復帰する移動状態を示す。
【図１０】シート収納装置における制御手段の説明図。
【図１１】シート収納装置におけるシート収納動作の手順を示すフローチャート。
【発明を実施するための形態】
【００２１】
図１は本発明に係わるシート収納装置Ｃを備えた後処理装置Ｂと画像形成システムを示す。図示の画像形成システムは、画像形成装置Ａと、画像形成されたシートを後処理する後処理装置Ｂで構成され、後処理装置Ｂにはシート収納装置Ｃが内蔵されている。
【００２２】
［画像形成置］
図１に示す画像形成装置Ａは、ハウジング１内に給紙部２と、画像形成部３と、排紙部４を備える。給紙部２は、例えば複数サイズのシートを収納する複数のカセット２ａ、２ｂ、２ｃと、各カセットから繰り出されたシートを下流側の画像形成部３に給送する給紙経路５で構成される。画像形成部３は、シート上に画像を形成する画像形成機構で構成する。画像形成機構（不図示）としては、インクジェット画像形成機構、インクリボン転写画像形成機構、静電画像形成機構、シルクスクリーン画像形成機構などが知られている。
【００２３】
上記排紙部４は、画像形成機構で画像形成されたシートをハウジング１に形成された排紙口７から搬出する。このため排紙部４は、排紙口７と画像形成部３からシートを排紙口に案内する排紙経路６で構成する。また、画像形成装置Ａには原稿シートの画像を読み取るスキャナユニット８が配置され、画像読取したデータ、或いは外部の装置（コンピュータなど）から転送されたデータを画像データ貯蔵部（不図示）にストックする。
【００２４】
［後処理装置］
図１に示す後処理装置Ｂは、装置ハウジング１０と、このハウジングに内蔵されたシート搬入経路（シート搬送経路；以下同様）１２と、処理トレイ１４と、スタックトレイ１５で構成されている。シート搬送経路１２には、搬入口１１と排紙口１３が設けられ、搬入口１１は画像形成装置Ａの排紙口７からシートを受け入れる位置に配置されている。
【００２５】
また排紙口１３の下流側には段差を形成して処理トレイ１４と、スタックトレイ（第１スタックトレイ；以下同様）１５が配置され、シートは排紙口１３から処理トレイ１４に送られるか、またはスタックトレイ１５に送られるか選択的に搬送される位置関係に配置されている。
【００２６】
図２に示すように、排紙口１３の下流側には処理トレイ１４、次いでスタックトレイ１５が段差ｄｘ、ｄｙ（ｄｙ≧ｄｘ）を隔てて配置されている。排紙口１３と処理トレイ１４との間には、シートを処理トレイ１４に案内するか、スタックトレイ１５に案内する搬送ローラ対（以下昇降ローラ１６、従動ローラ１６ｂと云う）が配置されている。この昇降ローラ１６を正逆転することによって排紙口１３から送られたシートを処理トレイ１４に案内するか、その下流側のスタックトレイ１５に案内するか切り換える。
【００２７】
上記処理トレイ１４には、シートを積載支持する紙載面１４ａと、シートの端縁（図示のものは後端縁）を規制する後端規制ストッパ１７と、紙載面上のシートを幅寄せ整合するサイド整合板１８と、シート搬入回転体（図示のものはキャタピラベルト）１９が配置されている。また処理トレイ１４の出口端には昇降ローラ１６が配置されている。
【００２８】
上記昇降ローラ１６は、排紙口１３の下流側で、処理トレイ１４の紙載面１４ａの出口端に配置され、処理トレイ１４に埋設された従動ローラ１６ｂに対して圧接する位置と、離間した待機位置との間で昇降可能にする。このため昇降ローラ１６は、装置フレームに揺動可能に取付けられた揺動ブラケット２０に支持され、図示しない正逆転モータに連結されている。そして揺動ブラケット２０は、リフトモータに連結され、モータの正逆転で揺動ブラケット２０を上昇または下降する。
【００２９】
また上記処理トレイ１４には、紙載面上に集積されたシート束を綴じ処理する後処理手段（ステープラユニット）２５が配置されている。その構成はよく知られているので説明は省略する。
【００３０】
上記スタックトレイ１５は、積載面（シート支持面；以下同様）１５ｘを有する紙載トレイ１５ａと、このトレイを支持するトレイ基台１５ｂで構成されている。トレイ基台１５ｂは、装置ハウジング１０に配置された上下一対のプーリ２６に巻回された牽引ベルト２７に固定され、プーリの一方には巻上げモータ（不図示）が連結されている。従って巻上げモータの正逆転によってトレイ基台１５ｂとこれに支持された紙載トレイ１５ａは、シートの積載方向に上下動するように構成されている。
【００３１】
上記積載面１５ｘの上方には積載されたシートの高さ位置を検出するレベルセンサＳｒ（不図示）が配置され、シート搬入の都度、紙面高さを検出して巻上げモータを回転制御する。図示１０ｘは、上下動する積載面１５ｘに沿ってシートの端縁（後端縁）を規制する規制面（立ち面；規制フェンス）である。
【００３２】
［シート整合機構］
なお、本発明にあって基準位置とは、シートの幅方向サイズに応じてセンター基準又はサイド基準で設定（演算）される位置を云い、整合位置とはトレイ上に搬入したシートを位置決めする位置を云い、実質的に両者は同一位置である。上記スタックトレイ１５には、積載面１５ｘに積載されたシートの幅方向位置を基準位置（整合位置；以下同様）に整合するシート整合機構２１が配置されている。図３及び図４に従ってその構成を説明する。
【００３３】
シート整合機構２１は、積載面１５ｘに搬入するシートの搬送直交方向の側縁を位置規制する整合部材２２と、この整合部材２２をシート積載面Ｓ１から退避した待機位置Ｗｐと積載面上の整合位置Ａｐとの間で位置移動するシフト手段（Ｍ１）で構成される。
【００３４】
整合部材２２は、積載面上のシート両側縁と係合する一対の整合部材２２（右整合部材２２Ｒ、左整合部材２２Ｌ）か、または、一側縁を固定規制面（トレイ枠壁など）１０ｘで規制したシートの他側縁と係合する１つの整合部材で構成される。以下、図示の左右一対の整合部材２２（右整合部材２２Ｒ，左整合部材２２Ｌ）について説明する。積載面上に１つの整合部材を配置する実施形態を採用する場合には、後述する右整合部材２２Ｒ，左整合部材２２Ｌのいずれか一方と同一の構造とし、シート他側縁を規制する部材を、例えばトレイ側枠壁（固定壁）などで構成する。
【００３５】
整合部材２２には、シートの側縁と係合する側縁整合面２３（右整合面２３Ｒ、左整合面２３Ｌ）が設けられている。この側縁整合面２３は、図３の実施形態では整合部材（整合板）２２と一体に形成されているが、整合部材２２と分離してその壁面に積載方向にスライド移動可能に嵌合するように構成することも可能である。
【００３６】
上記左右一対の整合部材２２は、基端アーム部２８、先端整合部２９（以下「羽根部」と云う）とで構成されている。基端アーム部２８は、装置フレーム（不図示）に配置された揺動主軸３０と揺動補助軸３１に軸受支持されている。揺動主軸３０には後述する旋回モータＭ１が連結され、所定角度回転させる。この揺動主軸３０と揺動補助軸３１とは積載面１５ｘの上方に配置され、この両軸に支持された基端アーム部２８は積載面１５ｘに上方から垂れ下がるように配置されている。
【００３７】
上記揺動主軸３０は、装置フレームに回転可能に軸支持され、積載面１５ｘのシート幅方向に配置され、その軸長さは最大サイズシートの幅寸法より長い軸部材（ロッド部材）で構成されている。また揺動補助軸３１は、揺動主軸３０と距離を隔てて平行に配置され、ジョイント部材３２で一体的に支持されている。整合部材２２は、この揺動主軸３０と揺動補助軸３１に嵌合支持されている。
【００３８】
従って、整合部材２２の基端アーム部２８は積載面１５ｘの上方で揺動主軸３０の回転で一体的に回転する。これと共に基端アーム部２８には、嵌合部２８ａが一体形成され、揺動主軸３０と揺動補助軸３１に遊嵌されている。整合部材２２は、揺動主軸３０と揺動補助軸３１に遊嵌され、シート幅方向に摺動可能に（位置移動可能に）支持され、後述するサイドシフトモータＭ２（Ｍ３）に連結される。
【００３９】
上記旋回モータＭ１は、その回転で揺動主軸３０を所定角度回転する。これによって、揺動主軸３０に取り付けられた整合部材２２は、上方の待機位置Ｗｐを下方の整合位置Ａｐとの間で上下動する。また左右のサイドシフトモータＭ２、Ｍ３は、左整合部材２２Ｌ、右整合部材２２Ｒをシート幅方向に左右動させる。そして、左整合部材２２Ｌ，右整合部材２２Ｒに配置されたフラグ３３を装置フレームに配置したポジションセンサＳｐ１（Ｓｐ２）で位置検出する。この検出位置からのサイドシフトモータＭ２（Ｍ３）の回転量で整合部材２２を所定位置に位置移動するようになっている。
【００４０】
上記羽根部２９は、積載面１５ｘ上のシート側縁と係合する側縁整合面２３を有するプレート材（板状材）で構成され、その端部を基端アーム部２８に連結ピン３４で軸支持してある。この連結ピン３４には付勢スプリング（巻きバネ；不図示）が巻装してあり、基端アーム部２８に対して一方向（後述する待機姿勢）に付勢されている。
【００４１】
なお、上記側縁整合面２３は、プレート材（羽根部）２９に一体形成（プレート材の表面がシート側縁と係合する形態）する場合を図示している。この側縁整合面２３は、後述する羽根部２９とは分離した板部材（スライドレート）で構成して整合部材２２に積載方向に摺動可能に嵌合してもよい。
【００４２】
次にシート整合機構２１における駆動構造について説明する。図４に示すように揺動主軸３０には旋回モータＭ１が歯車減速機構３５を介して連結されている。このモータ回転軸３５ｘと揺動主軸３０との間には、回転角度を決する角度センサＳｇが配置されている。図示の角度センサＳｇは、揺動主軸３０に固定したセンサフラグ３６を装置フレームに配置したセンサで検出することによって揺動主軸３０の回転角度を検出する。
【００４３】
上記センサフラグ３６は、図３に示す第１角度位置（ホームポジション；一点鎖線）と、第２角度位置（整合ポジション；実線）と、第３角度位置（待機ポジション；二点鎖線）を検出可能な形状に形成されている。
【００４４】
上述の揺動主軸３０を支持する装置フレーム（不図示）には、一対のプーリ３７ａ、３７ｂが配置され、プーリ間に歯付ベルト３８が巻装してある（直線動駆動機構）。この歯付ベルト３８には、整合部材２２の基端アーム部２８が連結され、先端整合部（羽根部）２９を積載面上のシート幅方向（整合方向）に位置移動する。このため上記プーリの一方（駆動プーリ３７ａ）には、減速歯車機構３９を介してサイドシフトモータＭ２（Ｍ３）が連結されている。
【００４５】
上記プーリ３７ａ、３７ｂと減速歯車機構３９とサイドシフトモータＭ２（Ｍ３）は、装置フレーム（不図示）に取り付けられ、上記整合部材２２の基端アーム部２８は前述の揺動主軸３０と揺動補助軸３１に摺動可能に取り付けられている。そしてサイドシフトモータＭ２（Ｍ３）の正逆転で整合部材２２は、積載面１５ｘ上のシート幅方向に移動可能となり、同時に前述の旋回モータＭ１の正逆転で整合部材２２は、積載面上のシートから離れた待機位置Ｗｐと、シート側縁と係合する整合位置Ａｐとの間で上下動する。
【００４６】
なお、整合部材２２を積載面１５ｘの左右に一対配置する場合には、上記プーリ３７ａ、３７ｂは左右それぞれに配置し、その左右の各駆動側プーリ３７ａに左サイドシフトモータＭ２と、右サイドシフトモータＭ３を連結する。なお直線動駆動機構は、上述したプーリ間に配置されたワイヤー、ベルトなどの走行機構の他に、カム、スプラインなどの運動変換機構で構成することも可能である。
【００４７】
［整合部材の動作］
上述の整合部材２２についてその動作を説明する。整合部材２２は、「ホームポジションＨｐ」と、「待機ポジション（待機位置；以下同様）Ｗｐ」と、「作動ポジションＡｐ（整合位置；以下同様）」の間を位置移動する。この待機ポジションＷｐから作動ポジションＡｐに移動する間に、整合部材２２は「幅寄せポジションＡｗｐ」に変位する。つまり、整合部材２２は、ホームポジションＨｐ、待機ポジションＷｐ、幅寄せポジションＡｗｐ、作動ポジションＡｐの順に高さ位置と幅方向位置を変位させる。
【００４８】
以下、上記各ポジションについて説明する。
「ホームポジションＨｐ」
ホームポジションＨｐ（図３一点鎖線）は、後述する「積載面上の整合位置Ａｐ」を基準に、最大サイズシートの幅方向に側縁から所定距離（Ｌｈｘ）離れた（幅方向）位置で、シート積載方向に許容最大積載量より高い位置（積載面１５ｘから所定距離（Ｌｈｙ）離れた高さ位置）に定める。つまりホームポジションＨｐは積載面１５ｘに積載される最大サイズシートの側端縁より外側（Ｌｈｘ）で、許容最大積載高さより高い位置（Ｌｈｙ）に設定する。
【００４９】
図示のホームポジションＨｐの高さ位置（Ｌｈｙ）は、積載面１５ｘの上方に配置されたシート搬送経路１２の排紙口１３、又は排紙口１３から搬出され、処理トレイ１４に集積されたシートを搬出する排紙口１６ｘより高い位置（図３鎖線）に設定してあり、同時にこの搬送経路から搬出される最大サイズシートの外側（図７（ａ）参照）に設定してある。
【００５０】
このほかホームポジションＨｐは、上述のポジション以外に設定することも可能であり、また作動ポジションＡｐ或いは待機ポジションＷｐと同一ポジションとすることも可能である。
【００５１】
「待機ポジションＷｐ」
待機ポジションＷｐ（図３二点鎖線）は、整合部材２２が積載面１５ｘから非作動状態に退避した位置に設定する。
この待機ポジションＷｐは、
（１）作動ポジションＡｐから短時間で変位（移動）することが可能なエリアであること、（２）シート搬送経路１２から積載面１５ｘに搬入する後続シートの妨げとならないエリアであること、などが要求される。
【００５２】
このため図示の待機ポジションＷｐは、排紙口１３から積載面１５ｘに搬出されるシートの移動軌跡Ｘと最大積載面Ｙ（許容最大積載量のシート面）との間のエリアＺ（図３参照）に配置されている。そしてシートが排紙口１６ｘを通過して積載面１５ｘに落下する軌跡の中間に形成されるエリアＺに待機ポジションＷｐを設定する。これによって待機ポジションＷｐは後続するシートの排紙を妨げることがなく、また作動位置（積載面１５ｘ）に近接した位置となる。
【００５３】
「作動ポジションＡｐ」
作動ポジションＡｐ（図３実線；整合位置）は、積載面上にシートサイズに応じて予め設定される。このポジションは、センター基準でシートサイズに応じてシート側縁位置を位置決めする基準位置の設定方法（センター基準）と、サイド基準でシートサイズに応じてシート側縁位置を位置決めする基準位置の設定方法（サイド基準）のいずれかを採用する。
【００５４】
そして作動ポジションＡｐは、積載面１５ｘに設定された整合位置（シートを揃える基準位置）と一致する位置（幅方向Ｌａｘ、高さ方向Ｌａｙ＝「０」）に定められる。従って、作動ポジションＡｐの幅方向位置は、シート側縁を基準位置（Ｌａｘ）に一致させる位置に設定され、この位置はシートサイズごとに、センター基準又はサイド基準で設定されている。また高さ位置は積載面１５ｘと実質的に同一平面に設定される。
【００５５】
また整合部材２２の作動ポジションＡｐは、積載面上の異なる位置にシートを部揃え集積するジョグ仕分けモードを実行する場合には、図６に示すように第１基準位置（Ａｐ１）と第２基準位置（Ａｐ２）を、積載面１５ｘ上に複数の異なる位置に設定する。
【００５６】
「幅寄せポジションＡｗｐ」
幅寄せポジションＡｗｐは、待機ポジションＷｐと作動ポジションＡｐの間で、「排紙口１６ｘから落下するシートに追随して側縁と係合して幅方向に位置移動（幅寄せ）させながら積載面１５ｘに降下（着地；ランディング）する」位置関係に設定する。
【００５７】
つまり幅寄せポジションＡｗｐは、
（１）待機ポジション位置Ｗｐ（幅方向Ｌｗｘ、高さ方向Ｌｗｙ）から、落下するシートの側縁を基準位置寄りに幅寄せする幅方向位置Ｌｂｘ（Ｌｂｘ＜Ｌｗｘ）に設定する。
（２）待機ポジションＷｐの高さ方向位置（Ｌｗｙ）から、落下するシートに追随させて積載面１５ｘ側に降下させた位置Ｌｂｙ（Ｌｂｙ＜Ｌｗｙ）に設定する。
例えば、排紙口１６ｘの排紙センサＳｅ２でシート後端を検出し、その検知信号からシートが積載面Ｓ１（最上シートの上）に着地する直前（シート落下開始から着地する間）に整合部材２２の高さ方向位置を待機高さ（Ｌｗｙ）から幅寄せ高さ（Ｌｂｙ）に移動する。
【００５８】
上記整合部材２２の動作は後述するが、排紙センサＳｅ２からの検出信号でシートが排紙口１３を通過したタイミング（シートが排紙口１６ｘから落下を開始した後）で整合部材２２の下降動作と幅方向移動動作を開始する。そしてその動作速度を排紙口１６ｘから落下したシートが積載面１５ｘの最上シートに着地（ランディング）する前にシート側縁と、側縁整合面２３が係合して幅方向に幅寄せ移動する最適タイミングに設定する。
【００５９】
また上述の待機ポジションＷｐは排紙口１６ｘから搬出されるシートの下面をガイドする位置に設定することも可能である。この場合には、幅方向位置Ｌｗｘは、排紙口１６ｘから搬送されるシートの幅サイズより短く（狭いエリアに）設定し、高さ方向位置Ｌｗｙは、排紙口１６ｘから搬出されるシートの高さ位置と一致させるか、又は下方に位置させる。
【００６０】
以上の説明から、左右一対、若しくは左右いずれか一方に配置された整合部材２２は、ホームポジションＨｐと待機ポジションＷｐと作動ポジションＡｐの間で往復動し、待機ポジションから作動ポジションに移動する間にシートを排紙姿勢から基準位置側に幅寄せする幅寄せポジションＡｗｐに変位させる。
【００６１】
次に整合部材２２を待機ポジションＷｐから幅寄せポジションＡｗｐに変位させるタイミングについて説明する。その動作は次のいずれの態様も採用可能である。
【００６２】
第１の態様は、整合部材２２を（１）待機ポジションＷｐ、（２）幅寄せポジションＡｗｐ（幅方向位置を基準位置と一致させる）（３）積載面１５ｘにランディングさせる下降動作（４）待機ポジションＷｐに復帰の順に動作させる。つまり、整合部材２２の整合面２３は待機ポジションから基準位置と一致するようにシートを幅寄せ移動し、次いで、シートの落下と追随して降下することによってシート側縁を積載面上の基準位置にランディングさせる。
【００６３】
第２の態様は、整合部材２２を（１）待機ポジションＷｐ、（２）幅寄せ動作＆下降動作（整合面を幅方向に移動させながら下降させる）、（３）整合位置Ａｐにランディングさせる、（４）待機ポジションＷｐに復帰の順に動作させる。つまり、整合部材２２の側縁整合面２３は待機ポジションから幅方向への移動とシートの落下に追随する下降動作をすることによってシート側縁を積載面上の基準位置にランディングさせる。
【００６４】
第３の態様は、整合部材２２を（１）待機ポジションＷｐ、（２）幅寄せ動作＆下降動作同時実行、（３）整合位置Ａｐと異なる位置にランディング（４）整合位置Ａｐに移動、（５）待機ポジションＷｐに復帰の順に動作させる。つまり、整合部材２２の側縁整合面２３は待機ポジションＷｐから幅方向への移動とシートの落下に追随する下降動作を実行してシートの側縁を積載面上の基準位置と異なる位置にランディングさせ、その後、側縁整合面２３を幅方向に移動してシート側縁を基準位置に位置決めする。
【００６５】
［パドル機構］
図５に示すパドル機構について説明する。パドル機構４１は、弾性変形可能なパドル羽根４２ａ、４２ｂと、羽根を支持する回転基軸４３と、この回転基軸を回転するパドル回転モータＭ４（不図示）と、その回転を回転基軸４３に伝達する伝動ベルトと、上記回転基軸４３を上下方向に揺動させる揺動レバー４５と、このレバーを所定角度で揺動するパドル昇降モータＭ５（不図示）で構成されている。
【００６６】
そしてパドル昇降モータＭ５の回転で揺動レバー４５を回転させるとパドル羽根４２ａ、４２ｂが積載面上方の待機位置（図５（ａ）破線状態）と積載面上の作動位置（図５（ａ）実線状態）との間で上下動する。これと共にパドル回転モータＭ５の回転でパドル羽根４２ａ、４２ｂは、積載面上で整合部材２２によって整合されたシートを規制面１０ｘに向けて移送（キック）する。
【００６７】
つまり後述する制御手段５０は、図５（ｂ）に示すように排紙口１６ｘから搬出されたシートが積載面１５ｘに落下するまでに整合部材２２で整合位置Ａｐに向けて幅寄せし、積載面１５ｘにランディングしたシートを整合部材で基準位置に整合（整合動作終了）した後に、シート側縁を整合部材２２で規制する。この状態でパドル昇降モータを所定角度回転させてパドル羽根をシートと係合する位置に降下させ、同時にパドル回転モータでシートを規制面１０ｘに向けて移送する。その動作の後にパドル羽根４２ａ、４２ｂを待機位置に復帰させたのちに整合部材２２を待機ポジションＷｐに復帰させる。
【００６８】
［制御構成］
次に図１の後処理装置Ｂの制御構成を図１０のブロック図に従って説明する。後処理装置Ｂの制御部は制御ＣＰＵ５０で制御され、ＲＯＭ５１の制御プログラムとＲＡＭ５２に記憶された制御データに従って後処理動作を実行する。この後処理動作は、「プリントアウトモード」と「後処理モード」と「ジョグ仕分けモード」に設定される。
【００６９】
上記制御ＣＰＵ５０（以下単に制御手段という）は、上流の画像形成装置Ａから搬出されたシートをシート搬送経路１２に受け入れる排紙制御部５０ａと、シート整合制御部５０ｂと、後処理制御部５０ｃと、シート束搬出制御部５０ｄを備えている。排紙制御部５０ａは、シート搬送経路１２に搬入されたシートを排紙ローラで排紙口１３に向けて搬送するように駆動モータを制御する。
【００７０】
これと共に排紙制御部５０ａは昇降ローラ１６を、シート先端が排紙口１３から搬出されたときにはローラを待機位置に待機させ、シート先端が通過した後にローラを互いに圧接し、このローラを排紙方向に回転した後にシート後端が排紙センサＳｅ２を通過したタイミング又は、通過してから所定時間経過したタイミングでローラを停止する。
【００７１】
シート整合制御部５０ｂは、本体制御部４６から送られた後処理モード（プリントアウトモードと後処理モードとジョグ仕分けモード）に応じて前述の「シート搬出機構」と「整合機構」を制御する。シート搬出機構は前述の昇降ローラ１６の昇降動作と回転動作を実行し、整合機構２１はサイドシフトモータＭ２，Ｍ３と旋回モータＭ１を制御する。このため、シート整合制御部５０ｂはサイドシフトモータＭ２、Ｍ３と昇降ローラ１６の昇降モータと搬出モータにコマンド信号を転送するように各モータのドライバ回路に連結されている。
【００７２】
後処理制御部５０ｃは、ステープル綴じ、パンチ穿孔、スタンプ捺印などの後処理に応じて各ユニットを制御する。図示のステープルユニット（後処理手段）２５はジョブ終了信号で最後のシートが処理トレイ１４に搬入され、その幅方向が整合された動作の後、制御手段５０はステープルユニット２５のドライブモータに起動信号を送信する。この信号を受けてステープルユニット２５は綴じ動作を実行し、その動作終了後にエンド信号を制御手段５０に送る。
【００７３】
シート束搬出制御部５０ｄは、ステープルユニット（後処理手段）２５からのエンド信号を受けて昇降ローラ１６で処理トレイ１４上のシート束を圧接し、スタックトレイ１５の方向にローラを回転する。この動作で処理トレイ１４上のシート束は排紙口１６ｘから搬出され下流側のスタックトレイ１５に収納される。
【００７４】
後処理モードは、シート搬送経路１２から送られたシートを処理トレイ１４上に部揃え集積して綴じ処理し、綴じ処理後のシート束を排紙口１６ｘから搬出してスタックトレイ１５に収納する。また「プリントアウトモード」はシート搬送経路１２に送られたシートを排紙口１３を経由して排紙口１６ｘから搬出してスタックトレイ１５に集積する。このとき整合部材２２はシート側縁を予め設定された基準位置に整合する。また「ジョグ仕分けモード」は、シート搬送経路１２に送られたシートを排紙口１３を経由して排紙口１６ｘから搬出してスタックトレイ１５に集積する。このとき整合部材２は、シートをグループ毎（部毎）に第１基準位置（Ａｐ１）と第２基準位置（Ａｐ２）に異なる位置に位置決めする。
【００７５】
上記制御手段５０のプリントアウトモードとジョグ仕分けモードにおける動作を図１１に示すフローチャートに従って説明する。装置電源をＯＮする（Ｓｔ０１）と、制御手段５０はイニシャライズ動作を実行する（Ｓｔ０２）。イニシャライズ動作は整合部材２２をホームポジションＨｐ（図３一点鎖線）に位置決めする。このホームポジションＨｐは最大サイズシートの幅方向長さの外側で、許容最大積載量の上方に設定されている。
【００７６】
画像形成装置Ａの制御手段４６は、画像形成条件の設定と同時に後処理条件（モード）を設定する（Ｓｔ０３、Ｓｔ０４）。図示の装置は、「プリントアウトモード」「ジョグ仕分けモード」「ステープル綴じモード」であり、プリントアウト、ジョグ仕分けの各モードでは排紙口１３を経由して排紙口１６ｘからシートをスタックトレイ１５に搬出する。また、ステープル綴じモードでは排紙口１３からシートを処理トレイ１４に搬出する。
【００７７】
次に画像形成装置Ａの制御手段４６は、画像形成条件と、動作モード設定の後、画像形成動作を実行（Ｓｔ０５）し、排紙指示信号（Ｓｔ０６）を後処理装置Ｂの制御部５０に伝送する。これと同時に画像形成するシートのサイズ（幅方向長さを含む）情報と、一連の画像形成動作が終了したときジョブエンド信号を伝送する。
【００７８】
「プリントアウトモード」
制御手段５０は、プリントアウトモードのときには、後処理モードのコマンド信号と、シートサイズ情報で整合部材２２をホームポジションＨｐから待機ポジションＷｐに位置移動する。この動作は左右のサイドシフトモータＭ２、Ｍ３と回転制御で行う（Ｓｔ０７）。
【００７９】
制御手段５０は排紙指示信号を受信するとシート搬送経路１２の搬送ローラを回転する（Ｓｔ０８）。すると、画像形成装置Ａから送られたシートは搬入口１１からシート搬送経路１２に送られ、排紙口１３に搬送される。このとき入口センサＳｅ１と排紙センサＳｅ２がシート先端と後端の検出信号を発信する。
【００８０】
次に制御手段５０は、排紙センサＳｅ２が「ＯＮした状態からＯＦＦ状態」に変化する（Ｓｔ０９）と、シートが排紙口１３を経由して排紙口１６ｘから搬出され積載面１５ｘに向かって落下する状態と判断する（Ｓｔ１０）。そこで制御手段５０は、整合部材２２を待機ポジションＷｐから作動ポジションＡｐに向かって降下させる（Ｓｔ１１）。この動作と前後して制御手段５０は左整合部材２２Ｌ、右整合部材２２Ｒを待機ポジションＷｐから整合位置Ａｐに向かって幅寄せ移動する（Ｓｔ１２）。
【００８１】
この整合部材２２の動作状態を図８に示すが、排紙口１６ｘから搬出されるシートを待機ポジションＷｐで待機する（図８（ａ）参照）。そしてシートが搬出口１６ｘから搬出される間、整合部材２２はシート下面を支持する（図８（ｂ））。
【００８２】
つまり、図７（ａ）に示すように待機ポジションＷｐでは、左整合部材２２Ｌ、右整合部材２２Ｒは、前述の図３エリアＺの高さ位置で、シート幅方向に図７（ａ）に示すシート側縁をガイド部２２ｇが支持する（シート下面をガイドする）幅方向位置（図７実線）に待機する。
【００８３】
制御手段５０は、例えばシート後端が排紙センサＳｅ２を通過した信号（センサＯＦＦ信号）で左整合部材２２Ｌ、右整合部材２２Ｒをシート側縁から離れた退避位置（図７点線位置）に移動させる。このときシート後端は排紙口１６ｘの搬送ローラ１６と、従動ローラ１６ｂにニップされた状態でその位置に保持されている。
【００８４】
上記制御のほか、シート先端が積載面上の最上シートの上に積載されていてシート後端が幅方向にブレる恐れがない（排紙条件）ときには、制御手段５０はシート後端が排紙口１６ｘから搬出された後に、左整合部材２２Ｌ、右整合部材２２Ｒをシート側縁から離れた退避位置（図７点線位置）に移動させる。これによって、左整合部材２２Ｌ、右整合部材２２Ｒに下面を支持されていたシートは解除され、積載面１５ｘに向かって落下する。
【００８５】
このように整合部材２２はシート後端が排紙口１３を通過したタイミングで待機ポジションＷｐから作動ポジションＡｐに向かって移動する（図８（ｃ））。このとき整合部材２２はシート側縁を整合面２３が基準位置方向に幅寄せ移動する。
【００８６】
次いで、制御手段５０は整合部材２２を作動位置Ａｐに係止した状態で、パドル機構４１を作動する。このパドル機構４１の作動は、上方の待機位置にある揺動レバー４５をパドル昇降モータＭ５で下降させパドル羽根４２をパドル回転モータＭ４で回転する。するとシートはパドル羽根４２で規制面１０ｘに突き当たるまで移動する（図９（ａ）参照）。パドル機構４１の作動後に整合部材２２は作動位置Ａｐから待機位置Ｗｐに復帰する。このときシート側縁と係合する側縁整合面２３は図９（ｂ）に示す矢印方向に移動し、シートには規制面１０ｘ側に変位する力を付与する。
【００８７】
上記制御手段５０による整合部材２２の下降動作と、幅寄せ動作は、前述の旋回モータＭ１の回転量と、左右のサイドシフトモータＭ２，Ｍ３の回転量で制御する。この両モータＭ２，Ｍ３の回転制御は、図７（ｂ）に示すように整合部材２２が待機ポジションＷｐから下降動作と同時に幅寄せ動作して整合位置Ａｐに移動する軌跡で制御する。
【００８８】
これは旋回モータＭ１の回転量とサイドシフトモータＭ２，Ｍ３の回転量を所定の関数（例えば直線関数）で制御する。或いは図７（ｃ）に示すように整合部材２２が幅寄せ動作と同時に下降して積載面１５ｘにランニングしたのちに、この積載面に沿って整合位置Ａｐに移動するように制御する（Ｓｔ１２〜１５）。
【００８９】
シートの整合動作の終了（Ｓｔ１５）した後に制御手段５０は、整合部材２２を整合位置Ａｐから待機位置Ｗｐに移動して後続シートの排紙動作に備える（Ｓｔ１６）。次いで制御手段５０は後続シートがあるかないかを判別（Ｓｔ１７）し、後続シートがないときには収納動作を終了する（Ｓｔ１８）。また後続シートが在るときには、ステップＳｔ０８に戻って上述と同様の排紙動作を実行する。
【００９０】
「ジョグ仕分けモード」
制御手段５０は、ジョグ仕分けモードのコマンド信号受信したときには、整合部材２２をホームポジションＨｐからシートサイズに応じた待機ポジションＷｐに位置移動する。次いで制御手段５０は、前述の排紙動作と同様に排紙口１６ｘから送られたシートを第１基準位置Ａ１ｐに整合する（Ｓｔ１９、Ｓｔ２０）。
【００９１】
そして制御手段５０は画像形成装置Ａからジョブ終了信号を受信すると、後続するシートを第２基準位置Ａｐ２に整合する（Ｓｔ２１、Ｓｔ２２）。そして制御手段５０は後続シートがあるかないかを判別（Ｓｔ２３）し、後続シートがある時にはステップＳｔ１９に戻って同様の動作を繰り返し、後続するシートがないときには収納動作を終了する（Ｓｔ２４）。
【符号の説明】
【００９２】
Ａ      画像形成装置
Ｂ      後処理装置
１０ｘ  規制面
１１    搬入口
１２    シート搬送経路
１３    排紙口
１４    処理トレイ
１５    スタックトレイ
１５ｘ  積載面
１６    搬送ローラ対（昇降ローラ）
１６ｂ  従動ローラ
１６ｘ  排紙口
１７    後端規制ストッパ
２１    シート整合機構
２２    整合部材
２３    側縁整合面
２８    基端アーム部
２８ａ  嵌合部
２９    先端整合部（羽根部）
３０    揺動主軸
３１    揺動補助軸
３６    センサフラグ
４１    パドル機構
【図１】
2016113281.tif 000003
【図２】
2016113281.tif 000004
【図３】
2016113281.tif 000005
【図４】
2016113281.tif 000006
【図５】
2016113281.tif 000007
【図６】
2016113281.tif 000008
【図７】
2016113281.tif 000009
【図８】
2016113281.tif 000010
【図９】
2016113281.tif 000011
【図１０】
2016113281.tif 000012
【図１１】
2016113281.tif 000013